(57)【要約】【課題】  外気温度の急激な上昇による土壌水の急激な蒸発、生育最盛期にある植物による土壌水の急激な吸収などの外部環境に急激な変化が生じても、水圧差を利用した土壌への安定した潅水が継続的に可能な潅水技術を提供すること。【解決手段】  壁面に細孔が設けられていない通水可能な導管の適所に、壁面に細孔が設けられている多孔質管を、複数個配置して接続された送水管を土壌中に埋設され、この送水管の両端を多孔質管の位置よりも下方において貯水槽に接続し、通常は、貯水槽の水面は多孔質管と同位置（水平位置）ないし低位置に維持され、送水管を貯水槽からの水によって飽和させ土壌に潅水する方法において、間歇的に貯水槽内に水を供給し貯水槽内の水面の位置を土壌中に埋設した多孔質管の位置よりも若干高位置とし、貯水槽内の水分圧を微正圧にすることを特徴とする。【選択図】  図１
2011055713.tif 000002
【特許請求の範囲】
【請求項１】
壁面に細孔が設けられていない通水可能な導管の適所に、壁面に細孔が設けられている多孔質管を複数個配置し接続された送水管を土壌中に埋設し、この送水管の両端を多孔質管の位置よりも下方において貯水槽に接続し、通常は貯水槽の水面は多孔質管と同位置（水平位置）ないし低位置に維持され、送水管を貯水槽からの水によって飽和させ、多孔質管内の水分圧を（ａ）とし、この多孔質管表面に接触する土壌に含まれる水分圧を（ｂ）とするとき、（ａ）＞（ｂ）のときは多孔質管内の水分を土壌側に滲出させ、（ａ）＜（ｂ）のときは土壌に含まれる水分を多孔質管内に取込む（吸込む）ようにされてなる水圧差を利用した潅水方法において、間歇的に貯水槽内に水を供給し貯水槽内の水面の位置を土壌中に埋設した多孔質管の位置よりも若干高位置とし、貯水槽内の水分圧を微正圧にすることを特徴とする、水圧差を利用した土壌への潅水方法。
【請求項２】
導管は、熱可塑性合成樹脂より構成され、内径が１〜５０ｍｍ、肉厚が０．５〜２０ｍｍのものである、請求項１に記載の水圧差を利用した土壌への潅水方法。
【請求項３】
多孔質管は、孔径が０．０１〜２００μｍ、内径が５〜５０ｍｍ、肉厚が０．５〜３０ｍｍのものである、請求項１または請求項２に記載の水圧差を利用した土壌への潅水方法。
【請求項４】
貯水槽内の水面の位置を、水位検知装置によって検知する、請求項１ないし請求項３のいずれか一項に記載の水圧差を利用した土壌への潅水方法。
【請求項５】
水位検知装置が、水面の高低を水面感知センサーで検知し、水供給用の電磁弁のスイッチに指令して水を供給する電磁弁を開閉する機構により構成されてなる、請求項４に記載の水圧差を利用した土壌への潅水方法
【発明の詳細な説明】
【技術分野】
【０００１】
本発明は、土壌への潅水方法に関する。さらに詳しくは、水圧差を利用した土壌への潅水方法に関する。
【背景技術】
【０００２】
植物を栽培している土壌に潅水する方法は従来から多数提案され、実用化されている。その一つに、１９３４年、ビー・イー・リビングストン（Ｂ．Ｅ．Ｌｉｖｉｎｇｓｔｏｎ）によって紹介された節水灌漑方法である。その原理は、植物を栽培する土壌中に多孔質管を埋設し、この多孔質管に水を飽和させ、土壌の水分圧が低いときは土壌に潅水し、土壌中の水分圧が高いときは余分の水分を多孔質管内に取込む（吸込む）という、水圧差を利用した土壌への潅水方法であり、使用する水量が少ないという特色がある。
【０００３】
上記の水圧差を利用した土壌への潅水方法を実用化した例として、特開平９−９８０２号公報、特開平９−３０８３９６号公報などに記載の技術が提案されている。これら提案されている方法によると、多孔質管と導管を含む送水系（または通水系）に満たされている水の中に溶存している空気などの気体が、温度などの環境変化によって気泡となり、多孔質管の内面に付着し細孔を塞ぐことがあり、多孔質管に内外に圧力差があっても、土壌への水分供給ができなくなるという問題があることが分かった。この問題については、本発明者らが鋭意検討し、特許第４１７３２２８号公報に記載の方法を提案した。この特許公報に記載の方法によれば、通水系内に２〜３ｋｇ／ｃｍ２の水圧で素早く通水することによって、残存する気泡をほぼ完全に除去することができ、多孔質管の内外に圧力差が生じ多孔質管の水圧が高いときは、土壌に水分の供給ができるようになった。
【０００４】
しかし、その後さらに検討した結果、送水系内に残存する気泡をほぼ完全に除去しても、多孔質管の内外に圧力差が生じないことがあった。その原因を追究した結果、次のことが分かった。すなわち、外部環境の急激な変化、例えば、外気温度の急激な上昇、空気の乾燥（低湿度）化による土壌水の急激な蒸発、生育最盛期にある植物による土壌水の急激な吸収などにより土壌が乾燥・収縮し、多孔質管の表面と接触している土壌が多孔質管の表面から剥がれることに原因があることが分かった。水圧差を利用した土壌への潅水は、多孔質管の表面に土壌が接触し、かつ、土壌が毛管現象を維持できる状態にあることが必須であるので、多孔質管の表面と接触している土壌が多孔質管の表面から剥がれると、水圧差を利用した土壌への潅水は不可能となる。
【先行技術文献】
【特許文献】
【０００５】
【特許文献１】特開平９−９８０２号公報
【特許文献２】特開平９−３０８３９６号公報
【特許文献３】特許第４１７３２２８号公報
【発明の概要】
【発明が解決しようとする課題】
【０００６】
本発明者は、上記従来技術に存在していた問題、すなわち、外気温度の急激な上昇、空気の乾燥（低湿度）化による土壌水の急激な蒸発、生育最盛期にある植物による土壌水の急激な吸収などの外部環境に急激な変化が生じても、水圧差を利用した土壌への安定した潅水が可能な潅水技術を提供すべく鋭意検討した結果、本発明を完成するに至った。
【課題を解決するための手段】
【０００７】
上記課題を解決するために、本発明では、壁面に細孔が設けられていない通水可能な導管の適所に、壁面に細孔が設けられている多孔質管を複数個配置し接続された送水管を土壌中に埋設し、この送水管の両端を多孔質管の位置よりも下方において貯水槽に接続し、通常は貯水槽の水面は多孔質管と同位置（水平位置）ないし低位置に維持され、送水管を貯水槽からの水によって飽和させ、多孔質管内の水分圧を（ａ）とし、この多孔質管表面に接触する土壌に含まれる水分圧を（ｂ）とするとき、（ａ）＞（ｂ）のときは多孔質管内の水分を土壌側に滲出させ、（ａ）＜（ｂ）のときは土壌に含まれる水分を多孔質管内に取込む（吸込む）ようにされてなる水圧差を利用した潅水方法において、間歇的に貯水槽内に水を供給し貯水槽内の水面の位置を土壌中に埋設した多孔質管の位置よりも若干高位置とし、貯水槽内の水分圧を微正圧にすることを特徴とする、水圧差を利用した土壌への潅水方法を提供する。
【発明の効果】
【０００８】
本発明は、次のようは特別に顕著な効果を奏し、その産業上の利用価値は極めて大である。
１．本発明に係る水圧差を利用した土壌への潅水方法によれば、外気温度の急激な上昇、空気の乾燥（低湿度）化によるによる土壌水の急激な蒸発、生育最盛期にある植物による土壌水の急激な吸収などによる外部環境に急激な変化が生じても、土壌へ安定して継続的な潅水ができる。
２．本発明に係る水圧差を利用した土壌への潅水方法によれば、常時貯水槽の水位を監視する必要がなく、潅水作業が簡単で、過潅水の心配もない。
【図面の簡単な説明】
【０００９】
【図１】本発明方法を実施している一例を示す概略図である。
【図２】本発明方法を実施している他の例を示す概略図である。
【発明を実施するための形態】
【００１０】
以下、本発明を詳細に説明する。本発明は、土壌で栽培する植物に水を潅水する方法に関する。壁面に細孔が設けられていない導管（以下、単に導管（Ａ）と記載することがある）の適所に、壁面に壁面を貫通した細孔が設けられている多孔質管（以下、単に導管（Ｂ）と記載することがある）を複数個配置して接続された送水管を土壌中に埋設し、この送水管を水で飽和させることによって水を多孔質管の細孔から外側に滲透させ、この滲透水を植物の生育・栽培に活用する潅水方法である。
【００１１】
本発明方法において使用される土壌は、通常、粒子間に水分を保持でき、植物を栽培することができる土壌であれば特に制限がなく、天然土壌でも人工的に粉砕・混合したものであってもよく、人工土壌と天然土壌との混合物であってもよい。土壌は、「日本統一土質分類法」の分類に基づく土壌の総てが挙げられる。すなわち、土壌は土質材料によって租粒子（レキ粒子、砂粒子）、細粒子、高有機質粒子（ピート、黒泥）と分類されるが、いずれでもよい。粒子径の大きい粒子は、単独ではなく砂粒子、細粒子（シルト、粘性土、有機質土、火山灰質粘性土）などを混合したものが好ましい。レキ粒子の多い土壌は、細粒子や高有機質粒子を客土する方法によって、植物の生育に適した土壌に改良することができる。本発明方法が適用できる土壌は、傾斜がなく平坦な土壌が好ましい。土壌は面積が多様に亘る田畑、温室のほか、面積の狭い鉢植の土壌、プランターの土壌などが挙げられる。
【００１２】
送水管を構成する壁面に細孔が設けられていない導管（Ａ）は、送水管の土壌に埋設されない部分を構成し、土壌中に埋設される部分に一定または任意の間隔で多孔質管（Ｂ）と接続される。導管（Ａ）は、熱可塑性樹脂を原料とし押出成形法で製造された導管（チューブ）が好適である。樹脂はポリエチレン、ポリプロピレン、ポリ塩化ビニル、ポリブテン、ポリエチレンテレフタレート、ポリブチレンテレフタレート、ポリアセタール、ポリカーボネート、ポリアミド類などが挙げられる。中でも、ポリ塩化ビニル、ポリエチレン、ポリプロピレンが好適である。この導管の内径、肉厚、長さなどに制約はないが、内径が小さ過ぎると、送水する際の水の抵抗が大きく、大き過ぎると送水管の内部に発生した気泡や、送水管の外部から混入した気泡を流しだすために多量の水を循環させる必要がある。導管の内径や肉厚は、送水管が埋設される土壌環境（地域、田畑か温室か、土壌の種類、栽培する植物の種類など）によって変るが、通常は内径は１〜５０ｍｍ、好ましくは３〜３０ｍｍの範囲で選ばれる。肉厚は導管の内径に比例させて０．５〜２０ｍｍ、好ましくは１〜１０ｍｍの範囲で選ばれる。
【００１３】
導管（Ｂ）の壁面に設けられた細孔は、水や水蒸気を多孔質管の内側から多孔質管の外側に、または多孔質管の外側から多孔質管の内側に通過させるように機能する。多孔質管の材質は、陶磁器、コンクリート、多孔質ガラス、金属焼結体、ポリエチレン、ポリプロピレン、ゴムなどの熱可塑性樹脂を原料とした多孔質導管などのほか、金属焼結体、フィルター材料として利用できる素材を筒状に成形したものなどが挙げられる。中でも、石英質の多い陶土を成形し、焼成して得られたものが好ましい。
【００１４】
導管（Ｂ）の細孔は、孔径０．０１〜２００μｍの範囲で選ばれる。下限より小さいときは、使用中に目詰まりが起こり易いほか、送水する際の水の抵抗が大きく、上限より大きいときは貯水槽内の水位が多孔質導管の水平位置より著しく低くなった場合に、土壌中に含まれる空気を吸引して送水管内の水を貯水槽に落とし易く、水を送水管内に飽和させた状態を維持できなくなる。孔径のより好ましい範囲は、０．１〜５０μｍである。導管（Ｂ）の内径、肉厚などは、上記導管（Ａ）と同等とするのが好ましいが、同一でなくてもよい。細孔に親水性物質によって処理すると、水や水蒸気が通過し易くなり好ましい。導管（Ｂ）は、短かすぎると導管（Ａ）と接続して送水管とする際の作業が煩雑となり、長すぎるとコストが嵩みいずれも好ましくない。通常は、３０〜２００ｍｍの範囲で選ばれる。
【００１５】
送水管を調製し土壌に埋設する手順は、まず、送水管を埋設する土壌の種類、土壌で栽培する植物の種類などに応じて、導管（Ａ）の素材の種類、直径、内径、肉厚などを選び、同時に導管（Ｂ）の素材の種類、直径、内径、肉厚、孔径などを選ぶ。ついで、送水管の土壌中に埋設されない部分は導管（Ａ）のみとし、土壌中に埋設される部分には導管（Ａ）に一定または任意の間隔で導管（Ｂ）を導管（Ａ）と交互に接続し、送水可能とする。導管（Ａ）に接続する導管（Ｂ）の数は複数個とするが、その数や間隔は、土壌環境（地域、田畑か温室か、土壌の種類、栽培する植物の種類など）に応じて、適宜選ぶことができる。導管（Ａ）と導管（Ｂ）との繋ぎ目には、接続具を使用するのが好ましい。接続具は、導管（Ａ）と導管（Ｂ）とを接続するほか、両者間で直径、内径、肉厚などが相違するときに両者を調節するように機能する。接続具は、熱可塑性樹脂製、金属製などであってよい。
【００１６】
こうして接続して長尺にしたものを、土壌中に埋設して送水管とする。なお、あらかじめ長尺に組立てた送水管を土壌中に埋設する方法のほか、土壌の状況（平面か畝立てされていあるか、全体の面積、畝立てされている場合は畝の幅、長さなど）に応じて、導管（Ａ）の長さや導管（Ｂ）の長さや数を調整しつつ接続し、順次土壌中に埋設する方法であってもよい。送水管を土壌に埋設する際の深さは、土壌環境（地域、田畑か温室か、土壌の種類、栽培する植物の種類など）に応じて、適宜選ぶことができるが、通常、土壌面から５０〜２００ｍｍの範囲で選ばれる。
【００１７】
貯水槽は、土壌に潅水する水を貯える機能を果たす。送水管の両端は多孔質管の位置よりも下方において貯水槽に接続され、送水管内は水によって飽和されて貯水槽に接続される（図１、図２参照）。貯水槽の水面は、多孔質管と同位置（水平位置）ないし若干低位置に維持される。貯水槽の水面が多孔質管の水平位置より低位置にあっても、送水管内を飽和した水はサイホン効果により飽和状態を維持できる。
【００１８】
本発明に係る潅水方法では、多孔質管内の水分圧を（ａ）とし、この多孔質管表面に接触する土壌に含まれる水分圧を（ｂ）とするとき、（ａ）＞（ｂ）のときは多孔質管内の水分を土壌側に滲出させ、（ａ）＜（ｂ）のときは土壌に含まれる水分を多孔質管内に取込む（吸込む）ようにされてなる水圧差を利用した灌水方法である。水分圧が前者の関係にあるときは、貯水槽の水面は多孔質管よりも低位置にあっても、水が送水管内に飽和し導管（Ｂ）の外側表面が湿気を含む土壌によって被覆されている状態にあると、水は毛管現象によって土壌に滲出して継続して植物の根に水が供給される。水分圧が後者の関係にあるときは、水が送水管内に飽和し導管（Ｂ）の外側表面が湿気を含む土壌によって被覆されている状態で、貯水槽の水面は多孔質管よりも低位置にあるときは、土壌に含まれる余分の水分を多孔質管内に取込み（吸込み）、貯水槽に送ることができる。
【００１９】
本発明に係る潅水方法では、上記のとおり、水が送水管内に飽和し導管（Ｂ）の外側表面が湿気を含む土壌によって被覆されている状態では、水は毛管現象によって土壌側に滲出して植物の根に水が供給される。通常は、貯水槽内の水面の位置は、多孔質管の位置と同一（水平位置）ないし低位置に維持される。この場合の低位置とは、潅水する土壌の面積、土壌で生育・栽培している植物の種類、生育の時期（発芽期か成長期かなど）、貯水槽の大きさなどに依存するので、状況に応じて適宜変更できるが、通常は１０〜３００ｍｍの範囲で選ばれる。水は雨水、河川水、地下水、水道水など植物育成に適したものであれば、その種類を問わない。この場合、必要に応じて肥料などの植物の生育に必要な養分を溶解させておくこともできる。土壌で生育・栽培できる植物は特に制限がなく、各種野菜、草花、果物、樹木などが挙げられる。
【００２０】
導管（Ｂ）の外側表面を被覆している土壌の水分がなくなると、土壌は乾燥・収縮し導管（Ｂ）の外側表面から剥離し、剥離したあとは毛管現象が起らず土壌に水を供給することができなくなる。本発明に係る潅水方法では、土壌が導管（Ｂ）の外側表面からの剥離するのを防止する目的で、土壌が導管（Ｂ）の外側表面から剥離する若干前（例えば半日〜２日程度）に、貯水槽内の水面の位置を間歇的に、土壌中に埋設した導管（Ｂ）の位置（水平位置）よりも若干高位置にし、積極的に水を導管（Ｂ）表面から土壌側に滲出させる。このようにすることにより、導管（Ｂ）の外側表面から土壌が剥離するのを防止でき、毛管現象を維持することができる。若干高位置とは、土壌環境（地域、田畑か温室か、土壌の種類など）、潅水する土壌の面積、土壌で生育・栽培している植物の種類、生育の時期（発芽期か成長期かなど）、貯水槽の大きさなどに依存するので、状況に応じて適宜変更できるが、例えば１０〜５０ｍｍの範囲で選ばれる。若干高位置にすることにより、０．００３〜０．００５ｋｇ／ｃｍ２程度の微正圧とすることができる。
【００２１】
間歇的に貯水槽内に水を供給し、貯水槽内の水面の位置を土壌中に埋設した多孔質管の位置よりも若干高位置にする具体的方法としては、（１）貯水槽内の水面の位置を水位検知装置によって検知し給水する方法、（２）タイマーによって一定時間ごとに給水する方法、（３）多孔質管の外側表面の土壌水分濃度を検知装置によって検知し給水する方法、などが挙げられる。
【００２２】
上記（１）の方法では、貯水槽内に水位検知装置を設置する。水位検知装置としては、水面の高低を水面感知センサーで検知し、高低いずれかの設定位置に達した際に水供給用の電磁弁のスイッチに信号を送り、電磁弁を開閉する機構により構成されたものが好適である。水面感知センサーとしては、低水位と高水位とを感知する一対のセンサーで構成したものとすることができる（後記、図１参照）。貯水槽の水位が設定位置より低くなったときは、水供給弁が開いて貯水槽に水を補給し、水位が設定位置に達したときは、水供給弁が閉じるように設定する。水面感知センサーは、各種の市販されているフロートスイッチの中から適切なものを選び使用することができる。上記（１）の他の方法では、貯水槽内に配置した浮玉により低水位と高水位を検知し、ボールタップ弁を開閉させて貯水槽に給水する方法も挙げられる。
【００２３】
上記（２）のタイマーによって一定時間ごとに給水する方法は、上記（１）の他の方法でのボールタップ弁からの給水で不十分な場合は、さらに自動潅水タイマーを併設して、設定した時刻に、設定した時間、設定した水量を給水することもできる。適切な水の供給時刻、一回当たりの供給時間と供給量などは、土壌がある地域、土壌の性質、潅水する土壌の面積、土壌で生育・栽培している植物の種類、生育の時期（発芽期か成長期）などの土壌環境、貯水槽の大きさなどに依存するので、状況に応じて、経験および事前の実験などによって決定することができる。自動潅水タイマーとしては、各種の市販されている製品の中から適切なものを選び使用することができる。
【００２４】
上記（３）は、土壌に埋設された多孔質管の外側表面被覆土壌に、この被覆土壌の水分濃度を検知する水分濃度検知センサーを埋設し、これによって土壌水分濃度を検知し、設定濃度以下になったときに水供給用の電磁弁のスイッチに信号を送り、電磁弁を開き一定時間水を供給する機構とするのが好適である。スイッチを作動させる際の水分濃度と、水の供給時間は、事前の実験および経験によって決定することができる。土壌の水分濃度検知センサーは、各種の市販されている水分濃度検知センサー中から、適切なものを選び使用することができる。
【００２５】
以下、本発明を図面に基づいて詳細に説明するが、本発明方法は以下に記載した例に限定されるものではない。図１は、本発明方法を実施している一例を示す概略図である。図１において、１は 水道管、２は貯水槽、３は植物栽培土壌、４は植物、５、６は導管、７は多孔質管、８は水、９は多孔質管の水平位置、１０、１１は水面感知センサー、１０’は下限センサーの先端位置、１１’は上限センサーの先端位置、１２は電磁弁のスイッチ、１３は電磁弁である。図１では壁面に細孔が設けられていない通水可能な導管５の適所に壁面に細孔が設けられている多孔質管７が接続されて送水管を構成し、植物栽培土壌４の中に埋設されている。送水管の両端は、導管５と６によって貯水槽２に多孔質管７の水平位置９よりも低い位置で貯水槽２に接続されている。貯水槽２には水８が、多孔質管７の水平位置９と同位置ないし低位置に維持され、送水管を貯水槽２からの水８によって飽和させた状態にされている。送水管内に水８を飽和させるには、送水管内に水を２〜３ｋｇ／ｃｍ２程度の圧力で送水し、空気を強制的に除去しながら満たせばよい。
【００２６】
貯水槽２内の水面が多孔質管７の水平位置９より低位置にあっても、送水管内を飽和した水８は、前記したとおり、サイホン効果によって送水管に留まり貯水槽２に落ちることがなく、送水管内の飽和状態が維持される。多孔質管７の表面に接触している土壌４の水分圧（ｂ）とし、多孔質管７の水分圧を（ａ）とするとき、（ａ）＞（ｂ）のときは、多孔質管７内の水分を細孔から土壌４側に滲出させ、土壌４で生育・栽培している植物に水を供給することができる。（ａ）＜（ｂ）のときは、土壌４に含まれる水分を多孔質管７内に取込み（吸込み）、土壌４中の水分・湿気を調節することができる。
【００２７】
貯水槽２の水面が下がった場合は、図１に示した例では、水面の高低を一対の水面感知センサー１０、１１で検知する。水面の下限位置１０’は下限センサー１０の先端で検知し、スイッチ１２からオンの信号を電磁弁１３に送り、電磁弁１３を開き、水を貯水槽２に供給する。水面の上限位置１１’は上限センサー１１の先端によって検知し、スイッチ１２からオフの信号を電磁弁１３に送り、電磁弁１３を閉じ、水の貯水槽２への供給を中止する。このようにすることによって、貯水槽２内の水８の水面を多孔質管７の水平位置９を挟んで狭い範囲に調節することができる。下限センサーの下限位置１０’、上限センサーの上限位置１１’は、事前の実験および経験によって決定することができること、貯水槽２の大きさにもよるが、多孔質管７の水平位置９を挟んで＋５０ｍｍから−３００ｍｍの範囲で選ばれることは、前記のとおりである。水面感知センサーは、上記したとおりフロートスイッチであってもよい。
【００２８】
図２は、本発明方法を実施している他の例を示す概略図である。図２において、２１は水道管、２２は貯水槽、２３は植物栽培土壌、２４は植物、２５、２６は導管、２７は多孔質管、２８は水、３０は浮玉、３１はボールタップ弁、３２はボールタップ弁支持部、３３は自動潅水タイマーである。図２では、壁面に細孔が設けられていない通水可能な導管２５の適所に壁面に細孔が設けられている多孔質管２７が接続されて送水管を構成し、植物栽培土壌２３の中に埋設されている。送水管の両端は、導管２５と２６によって貯水槽２２に多孔質管２７よりも低い位置で接続されている。貯水槽２２には水２８が、多孔質管２７の水平位置と同位置ないし低位置に維持され、送水管を貯水槽２２からの水２８によって飽和させた状態にされている。送水管内に水２８を飽和させるには、送水管内に水を２〜３ｋｇ／ｃｍ２程度の圧力で送水し、空気を強制的に除去しながら満たせばよい。
【００２９】
図２に示した例では、貯水槽２２内の水位は、通常は、浮玉３０とボールタップ弁３１とが連動して、常に一定に維持されるように設定されている。しかし外部環境（外気温度、湿度など）が急激に変化して土壌乾燥、土壌収縮が起る恐れがあるので、このような急激な外部環境の変化に対応する目的で、自動潅水タイマー３３を併設するのが好ましい。自動潅水タイマー３３は水道管２１に接続し、設定した時刻に、設定した回数、設定した時間に亘って、設定した水量を給水することができる。自動潅水タイマー３３による潅水時刻、一日当たりの潅水回数、一回当たりの潅水時間、潅水量などは、前記したとおり、経験や事前の実験などにより決定することができる。
【産業上の利用可能性】
【００３０】
本発明方法は、以上詳細に説明したとおりであり、面積が多様に亘る畑、温室のほか、建造物の屋上の土壌、面積の狭い鉢植（建造物壁面を緑化するための植物栽培用の鉢植を含む）の土壌、植物を生育・栽培するプランターの土壌などに適用できる。
【符号の説明】
【００３１】
１、２１： 水道管
２、２２：貯水槽
３、２３：植物栽培土壌
４、２４：植物
５、６、２５、２６：導管
７、２７：多孔質管   
８、２８：水
９：多孔質管の水平位置
１０、１１：水面下限感知センサー
１０’：水面下限位置
１１’：水面上限位置
１２：電磁弁のスイッチ
１３：電磁弁
３０：浮玉
３１：ボールタップ弁
３２：ボールタップ弁支持部
３３：自動潅水タイマー
【図１】
2011055713.tif 000003
【図２】
2011055713.tif 000004